(57)【特許請求の範囲】
【請求項１】
ファクシミリ装置の交信プロトコルを検出するモニタ用通信制御部と、あらかじめメーカー別に各メーカーにより設定された非標準手順交信プロトコルシーケンスとＩＴＵ−Ｔ勧告Ｔ．３０に準拠した交信プロトコルシーケンスとが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報が不明の場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定された非標準手順交信プロトコルシーケンスあるいはＩＴＵ−Ｔ勧告Ｔ．３０に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とするＧ３プロトコル測定装置。
【請求項２】
ファクシミリ装置の交信プロトコルを検出するモニタ用通信制御部と、あらかじめメーカー別に各メーカーにより設定された非標準手順交信プロトコルシーケンスとＩＴＵ−Ｔ勧告Ｔ．３０に準拠した交信プロトコルシーケンスとが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報に設定されているメーカーコードが不明又は存在しない場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定された非標準手順交信プロトコルシーケンスあるいはＩＴＵ−Ｔ勧告Ｔ．３０に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とするＧ３プロトコル測定装置。
【請求項３】
ファクシミリ装置の交信プロトコルを検出するモニタ用通信制御部と、あらかじめメーカー別に各メーカーにより設定されたＦＴＺ１８ＴＲ５３規格に準拠した交信プロトコルシーケンスが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報が不明の場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定されたＦＴＺ１８ＴＲ５３規格に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とするＧ３プロトコル測定装置。
【請求項４】
ファクシミリ装置の交信プロトコルを検出するモニタ用通信制御部と、あらかじめメーカー別に各メーカーにより設定されたＦＴＺ１８ＴＲ５３規格に準拠した交信プロトコルシーケンスが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報に設定されているメーカーコードが不明又は存在しない場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定されたＦＴＺ１８ＴＲ５３規格に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とするＧ３プロトコル測定装置。
【発明の詳細な説明】
【０００１】
【発明の属する技術分野】
この発明はＧ３ファクシミリの交信プロトコルを測定して適否を判定するＧ３プロトコル測定装置、特にデジタルハンドシェーキングコマンドＮＳＳの機能情報が不明又はメーカーコード情報が不明な交信プロトコルデータの測定と異常原因の解析に関するものである。
【０００２】
【従来の技術】
ＩＴＵ−Ｔ勧告Ｔ．３０に準拠しているファクシミリ装置やＦＴＺ１８ＴＲ５３規格に準拠しているファクシミリ装置の交信プロトコルやファクシミリ装置のメーカーが独自に行なっている交信プロトコルの適否を判定するためにＧ３プロトコル測定装置が使用されている。従来のＧ３プロトコル測定装置はファクシミリ装置の交信プロトコルを測定可能なモニタ機能を有し、ファクシミリ装置で送受信しているときの交信プロトコルを検出し、画面や記録紙に表示している。このモニタした結果を解析者が解析して交信プロトコルの適否を判定している。
【０００３】
【発明が解決しようとする課題】
しかしながら、モニタした交信プロトコルデータがＩＴＵ−Ｔ勧告Ｔ．３０に定められている規格値や、ＦＴＺ１８ＴＲ５３規格に定められている規格値や、ＩＴＵ−Ｔ勧告Ｔ．３０やＦＴＺ１８ＴＲ５３規格に準拠して各ファクシミリ装置のメーカー毎に定められている規格値に一致しているかどうかを解析することは容易でなく、解析のために専門的な知識とかなり長い時間を必要とした。また、交信プロトコルの解析が容易でないため、解析した結果に、解析者毎にバラツキや解析洩れも発生し、交信不具合の原因の一つになることもある。
【０００４】
また、解析した結果を再確認したり、交信不具合の要因について対策を行うためにモニタした結果を再現することが簡単にできないため、交信不具合が生じたときにその原因を究明して対策を迅速にすることが困難であった。
【０００５】
さらに、デジタルハンドシェーキングコマンドＮＳＳの機能情報が不明な場合や、デジタルハンドシェーキングコマンドＮＳＳのメーカーコードが不明な場合には交信プロトコルデータを測定することはできず、交信プロトコルの適否を判定することはできなかった。
【０００６】
この発明はかかる短所を改善するためになされたものであり、測定した交信プロトコルを自動的に解析し、ＩＴＵ−Ｔ勧告Ｔ．３０やＦＴＺ１８ＴＲ５３規格に定められている規格値や、各ファクシミリ装置のメーカー毎に定められている規格値と異なる項目毎にエラ−表示して交信プロトコルの適否を明確にするとともに、デジタルハンドシェーキングコマンドＮＳＳの機能情報が不明な場合や、デジタルハンドシェーキングコマンドＮＳＳのメーカーコードが不明な場合には交信プロトコルデータを測定して適否を判定することができるＧ３プロトコル測定装置を得ることを目的とするものである。
【０００７】
【課題を解決するための手段】
この発明に係るＧ３プロトコル測定装置は、ファクシミリ装置の交信プロトコルを検出するモニタ用通信制御部と、あらかじめメーカー別に各メーカーにより設定された非標準手順交信プロトコルシーケンスとＩＴＵ−Ｔ勧告Ｔ．３０に準拠した交信プロトコルシーケンスとが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報が不明の場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定された非標準手順交信プロトコルシーケンスあるいはＩＴＵ−Ｔ勧告Ｔ．３０に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とする。
【０００８】
第２の発明に係るＧ３プロトコル測定装置は、ファクシミリ装置の交信プロトコルを検出するモニタ用通信制御部と、あらかじめメーカー別に各メーカーにより設定された非標準手順交信プロトコルシーケンスとＩＴＵ−Ｔ勧告Ｔ．３０に準拠した交信プロトコルシーケンスとが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報に設定されているメーカーコードが不明又は存在しない場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定された非標準手順交信プロトコルシーケンスあるいはＩＴＵ−Ｔ勧告Ｔ．３０に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とする。
【０００９】
第３の発明に係るＧ３プロトコル測定装置は、ファクシミリ装置の交信プロトコルを検出するモニタ用通信制御部と、あらかじめメーカー別に各メーカーにより設定されたＦＴＺ１８ＴＲ５３規格に準拠した交信プロトコルシーケンスが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報が不明の場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定されたＦＴＺ１８ＴＲ５３規格に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とする。
【００１０】
第４の発明に係るＧ３プロトコル測定装置は、ファクシミリ装置の交信プロトコルを検出するモニタ用通信制御部と、あらかじめメーカー別に各メーカーにより設定されたＦＴＺ１８ＴＲ５３規格に準拠した交信プロトコルシーケンスが格納されたプロトコルシーケンステーブル格納部と、前記モニタ用通信制御部で検出した交信プロトコルデータと前記プロトコルシーケンステーブル格納部から抽出したプロトコルシーケンスとを比較判定するモニタ用演算処理部と、前記モニタ用演算処理部の判定結果を表示する表示部と、前記モニタ用通信制御部で検出した交信プロトコルデータをモデムコントロール情報を含むシミュレーションデータに変換するシミュレーション用演算処理部と、前記シミュレーション用演算処理部で変換したシミュレーションデータにより回線を締結し交信プロトコルを実行するシミュレータ用通信制御部と、モデムを制御するモデムコントロール部と、ＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をあらかじめ設定して格納するモデムコントロールテーブル格納部及びＣＰＵとを備え、
前記ＣＰＵは、前記モデムコントロール部が前記モニタ用通信制御部で交信プロトコルを測定するとき、デジタルハンドシェーキングコマンドＮＳＳを検出し、その機能情報に設定されているメーカーコードが不明又は存在しない場合には、あらかじめ前記モデムコントロールテーブル格納部に設定された高速モデムのコントロール情報により前記モニタ用通信制御部のモデムを切り換えて交信プロトコルデータを測定し、測定した交信プロトコルデータを前記プロトコルシーケンステーブル格納部に格納され、メーカー別に各メーカーにより設定されたＦＴＺ１８ＴＲ５３規格に準拠した交信プロトコルシーケンスと比較してその適否を判定させることと、
前記交信プロトコルデータを前記シミュレーション用演算処理部によりシミュレーションデータに変換させ、変換したシミュレーションデータを前記シミュレータ用通信制御部に送り、シミュレーションデータにより回線を締結させて交信を行っていたファクシミリ装置と同等の交信プロトコルを実行させる制御を行うことを特徴とする。
【００１１】
【発明の実施の形態】
この発明においては、Ｇ３プロトコル測定装置にモニタ用通信制御部と制御部及びシミュレータ用通信制御部とを設けておく。そして、ＩＴＵ−Ｔ勧告Ｔ．３０やＦＴＺ１８ＴＲ５３規格に準拠しているファクシミリ装置の交信プロトコルやＩＴＵ−Ｔ勧告Ｔ．３０やＦＴＺ１８ＴＲ５３規格に準拠して各ファクシミリ装置のメーカーが独自で行なっている交信プロトコルをモニタ用通信制御部で受信して検出して制御部に送る。この各ファクシミリ装置のメーカーが独自で行なっている交信プロトコルを検出するときに、デジタルハンドシェーキングコマンドＮＳＳの機能情報が不明な場合、あるいはデジタルハンドシェーキングコマンドＮＳＳの機能情報に設定されているメーカーコードが不明な場合又は存在しない場合に、あらかじめモデムコントロールテーブル格納部に設定されたコントロール情報によりモニタ用通信制御部のモデムを切り換えて交信プロトコルを検出する。
【００１２】
制御部のモニタ用演算処理部は検出した交信プロトコルデータとあらかじめ記憶した規格値とを比較し、交信プロトコルの適否を各項目毎に解析し、解析した結果を表示する。
【００１３】
また、制御部の原稿サイズ演算処理部はモニタ用通信制御部で検出した交信プロトコルデータの画情報データの原稿サイズを演算し、送信側のスキャナ−の読取誤差の有無を検出する。
【００１４】
さらに、制御部のシミュレーション用演算処理部は、測定した交信プロトコルデータをシミュレーションデータに変換し、シミュレーション用通信制御部に送り、測定した交信プロトコルを再現させる。
【００１５】
シミュレータ用通信制御部はシミュレーション用演算処理部からシミュレーションデータが送られたときに、送られたシミュレーションデータにより交信を行なっていたファクシミリ装置と同等の交信プロトコルを実行して交信不具合の状況を再現し、交信不具合が生じた原因を明確にする。
【００１６】
【実施例】
図１はこの発明の一実施例に係るＧ３プロトコル測定装置を示すブロック図である。図に示すように、Ｇ３プロトコル測定装置は制御部１とフロッピディスク等のデータ蓄積メモリ２と表示部３とモニタ用通信制御部（モニタ用ＣＣＵ）４及びシミュレータ用通信制御部（シュミレ−タ用ＣＣＵ）５を有する。
【００１７】
制御部１は装置全体を管理するＣＰＵ１１と、ＲＯＭ１２，ＲＡＭ１３，モニタ用演算処理部１４，シミュレーション用演算処理部１５，機能情報テーブル格納部１６，プロトコルシーケンステーブル格納部１７，モデムコントロールテーブル格納部１８，原稿サイズ演算処理部１９及びモデムコントロール部２０を有する。機能情報テーブル格納部１６にはＩＴＵ−Ｔ勧告Ｔ．３０に準拠した交信プロトコルの各種機能情報やＩＴＵ−Ｔ勧告Ｔ．３０に準拠して各ファクシミリ装置のメーカー毎に設定された異なる非標準手順交信のプロトコルの各種機能情報があらかじめ格納され、プロトコルシーケンステーブル格納部１７にはＩＴＵ−Ｔ勧告Ｔ．３０に準拠した交信プロトコルシーケンスやメーカー毎に設定された非標準手順交信プロトコルシーケンスが格納されている。モデムコントロールテーブル格納部１８にはシミュレーションを実行する送出側（送信側又は受信側）のデジタルハンドシェーキングコマンドの機能情報を格納するとともに、ＩＴＵ−Ｔ勧告Ｔ．３０に規定しているＤＩＳやＮＳＳ，ＤＣＳのファクシミリ情報フィールド（ＦＩＦ）の機能情報に付加するモデムの変調方式（Ｖ．２７ter，Ｖ，２９等）とデータ信号速度（4800bps，9600bps等）(以下、高速モデムのコントロール情報という)をユーザーにより設定されている。この高速モデムのコントロール情報は、ＦＴＺ１８ＴＲ５３規格においても、ＤＩＳやＤＣＳのファクシミリ情報フィールド（ＦＩＦ）の機能情報に付加するモデムの変調方式の部分は同じで、ＩＴＵ−Ｔ勧告Ｔ．３０とは異なるプロトコルシーケンスで交信する点が相違する。このユーザーにより設定された高速モデムのコントロール情報は簡単に設定変更できるようになっている。モデムコントロール部２０はデジタルハンドシェーキングコマンドＮＳＳの機能情報が不明な場合、あるいはデジタルハンドシェーキングコマンドＮＳＳの機能情報に設定されているメーカーコード情報が不明な場合又は存在しない場合に、あらかじめモデムコントロールテーブル格納部１８に設定されたコントロール情報によりモニタ用通信制御部４のモデム４２を切り換える。原稿サイズ演算処理部１９はモニタした交信プロトコルの画像データの原稿サイズすなわち原稿長さを演算する。
【００１８】
モニタ用通信制御部４は網制御部４１とモデム４２，デジタルハンドシェーキングコマンドフラグ監視部４３，トーナル信号検出部４４を有し、ファクシミリ装置８の交信プロトコルを受信して検出する。シミュレータ用通信制御部５も網制御部５１とモデム５２，デジタルハンドシェーキングコマンドフラグ監視部５３，トーナル信号検出部５４及び通信インターフェース部（以下、通信Ｉ／Ｆ部という）を有し、交換機７との回線を締結してシミュレーションを実行する。
【００１９】
上記のように構成されたＧ３プロトコル測定装置でファクシミリ装置の交信プロトコルを測定するときの動作を図２のフローチャートを参照して説明する。
【００２０】
制御部１のＣＰＵ１１はモニタ用通信制御部４で画情報データを含んだ交信プロトコルデータを受信するとモデム４２の低速モデム（300bps)により、デジタルハンドシェーキングコマンドＮＳＦが受信がされたか否かを確認する（ステップＳ１）。ＮＳＦを検出したら、ＮＳＦのファクシミリ情報フィールド（ＦＩＦ）の１７〜２８ビットによりメーカーコードを検出しＲＡＭ１３にセットする（ステップＳ２）。そしてＮＳＦに対する応答信号であるデジタルハンドシェーキングコマンドＮＳＳを検出したら（ステップＳ３）、セットしたメーカーコードに基づき、そのメーカーにより定められているＮＳＳのファクシミリ情報フィールド（ＦＩＦ）の機能情報を機能情報テーブル格納部１６から抽出する（ステップＳ４，Ｓ５）。その後、抽出したメーカー毎の機能情報に基づき、そのメーカーにより定められている独自交信プロトコルシーケンスをプロトコルシーケンステーブル格納部１７から抽出し、モデムモ−ドをコントロールして交信プロトコルデータを測定しＲＡＭ１３に記憶する（ステップＳ６）。
【００２１】
ＮＳＦに対する応答信号であるデジタルハンドシェーキングコマンドＮＳＳを検出してから（ステップＳ３）、セットしたメーカーコードに基づき、そのメーカーにより定められているデジタルハンドシェーキングコマンドＮＳＳのファクシミリ情報フィールド(ＦＩＦ)の機能情報を機能情報テーブル格納部１６から抽出しようとしたときに、機能情報テーブル格納部１６にそのメーカーにより定められているデジタルハンドシェーキングコマンドＮＳＳのファクシミリ情報フィールド(ＦＩＦ)の機能情報が存在しない場合、あるいはメーカーコードが不明又は存在しない場合には（ステップＳ４）、モデムコントロール部２０は、モデムコントロールテーブル格納部１８に、ユーザーにより高速モデムのコントロール情報が設定されているかを確認し（ステップＳ７）、ユーザーにより高速モデムのコントロール情報が設定されている場合は、モデムコントロールテーブル格納部１８に設定された高速モデムのコントロール情報によりモニタ用通信制御部４のモデム４２をコントロールして交信プロトコルデータを測定しＲＡＭ１３に記憶する（ステップＳ８）。
【００２２】
また、機能情報テーブル格納部１６にそのメーカーにより定められているＮＳＳのファクシミリ情報フィールドの機能情報が存在しなかったり、メーカーコードが不明又は存在しなく（ステップＳ４）、かつモデムコントロールテーブル格納部１８にユーザーにより高速モデムのコントロール情報が設定されていない場合（ステップＳ７）、ＮＳＳの次にデジタルハンドシェーキングコマンドＤＣＳがない場合や、ＮＳＳとＤＣＳがない場合は、測定を終了して再び交信プロトコルデータの測定を繰り返す（ステップＳ１０，Ｓ１５）。
また、機能情報テーブル格納部１６にそのメーカーにより定められているＮＳＳのファクシミリ情報フィールドの機能情報が存在しなかったり、メーカーコードが不明又は存在しなく（ステップＳ４）、かつモデムコントロールテーブル格納部１８にユーザーにより高速モデムのコントロール情報が設定されていなく（ステップＳ７）、測定した交信プロトコルデータの中にＮＳＳの次にＤＣＳがある場合（ステップＳ１０）、ＲＡＭ１３にセットされているデータがある場合には、セットされているデータをリセットし（ステップＳ１１，Ｓ１２）、ＩＴＵ−Ｔ勧告Ｔ．３０に定められている機能情報テーブルを機能情報テーブル格納部１６から抽出する（ステップＳ１３）。この抽出した機能情報テーブルに基づきモニタ用通信制御部４のモデム４２のモデムモ−ドを切り換え、交信プロトコルデータを測定しＲＡＭ１３に記憶する（ステップＳ１４）。また、受信した交信プロトコルデータからＮＳＦを検出せずＤＩＳを検出し（ステップＳ９）、引き続いてＤＣＳを検出したら（ステップＳ１０）、ＩＴＵ−Ｔ勧告Ｔ．３０により定められている機能情報テーブルを抽出し、上記と同様に交信プロトコルデータを測定する（ステップＳ１１〜Ｓ１４）。ＣＰＵ１１は上記処理を繰返し、交信プロトコルデータの測定が終了したら（ステップＳ１５）、ＲＡＭ１３に記憶した測定データをフロッピディスク等からなるデータ蓄積メモリ２に記憶させる（ステップＳ１６）。このようにして、メーカーにより定められているデジタルハンドシェーキングコマンドＮＳＳのファクシミリ情報フィールドの機能情報が存在しない場合、あるいはメーカーコードが不明又は存在しない場合でも交信プロトコルデータの画情報を確実に測定することができる。
【００２３】
次ぎに、上記のようにして測定した交信プロトコルデータの画情報データの原稿サイズを検出する場合の処理を図３のフローチャートを参照して説明する。
【００２４】
交信プロトコルデータの画情報データの原稿サイズの算出動作に入ると（ステップＳ２１）、制御部１のＣＰＵ１１はデータ蓄積メモリ２に格納してある指定された交信プロトコルの測定データを抽出しＲＡＭ１３に格納する（ステップＳ２２）。原稿サイズ演算処理部１９はＲＡＭ１３に格納した交信プロトコルの測定データの高速モデムで検出された画情報データの中のライン終端信号ＥＯＬを抽出し、抽出したライン終端信号ＥＯＬの数を制御復帰符号ＲＴＣが出現するまでカウントする（ステップＳ２３，Ｓ２４）。次に交信プロトコルの測定データ中にモニタ用ＣＣＵ４の低速モデムにより検出されたデジタルハンドシェーキングコマンドＮＳＳがある場合には（ステップＳ２５）、ＮＳＳのファクシミリ情報フィールド（ＦＩＦ）の１７〜２８ビットによりメーカーコードを検出する（ステップＳ２６）。このメーカーコードに基づき、そのメーカーにより定められているデジタルハンドシェーキングコマンドＮＳＳのファクシミリ情報フィールド（ＦＩＦ）の機能情報を機能情報テーブル格納部１６から抽出し、抽出した機能情報の中の副走査の線密度情報を抽出する（ステップＳ２７）。この抽出した副走査の線密度情報を基に、検出された画情報データのライン終端信号ＥＯＬの数から画情報の原稿サイズを演算してＲＡＭ１３に記憶する（ステップＳ３２）。
【００２５】
また、交信プロトコルの測定データ中にデジタルハンドシェーキングコマンドＮＳＳがなく、デジタルハンドシェーキングコマンドＤＣＳがある場合には（ステップＳ２５，Ｓ２８）、ＲＡＭ１３にセットされているメーカーコード等のデータがある場合には、セットされているデータをリセットし（ステップＳ２８，Ｓ２９）、ＩＴＵ−Ｔ勧告Ｔ．３０に定められているファクシミリ情報フィールドの機能情報を機能情報テーブル格納部１６から抽出し、抽出した機能情報の中の副走査の線密度情報を抽出する（ステップＳ３１）。この抽出した副走査の線密度情報を基に、検出された画情報データのライン終端信号ＥＯＬの数から画情報の原稿サイズを演算してＲＡＭ１３に記憶する（ステップＳ３２）。
【００２６】
１ペ−ジ分の原稿サイズを算出してから（ステップＳ３３），マルチペ−ジ信号ＭＰＳを検出すると、次ペ−ジの画情報データからライン終端信号ＥＯＬの数を検出し、次ペ−ジの原稿サイズを演算する（ステップＳ３４，Ｓ３６〜Ｓ３８、Ｓ３２）。この演算処理を繰り返してメッセ−ジ終了信号ＥＯＭを検出すると算出した原稿サイズを表示部３に表示して原稿サイズの演算処理を終了する（ステップＳ３５）。
【００２７】
このようにしてモニタした交信プロトコルデータの画情報の原稿サイズ（長さ）を算出することにより、送信側のファクシミリ装置６のスキャナ−の読取誤差を検出することができ、送信側のファクシミリ装置６のスキャナ−の異常の有無を判定することができる。
【００２８】
次ぎに、上記のようにして測定した交信プロトコルデータの適否を判定する場合の処理を図４のフローチャートを参照して説明する。
【００２９】
交信プロトコルデータの適否の判定動作に入ると（ステップＳ４１）、制御部１のＣＰＵ１１はデータ蓄積メモリ２に格納してある指定された交信プロトコルの測定データを抽出しＲＡＭ１３に格納する（ステップＳ４２）。モニタ用演算処理部１４はＲＡＭ１３に格納した交信プロトコルの測定データからＮＳＦを確認すると（ステップＳ４３）、ＮＳＦのファクシミリ情報フィールド（ＦＩＦ）の１７〜２８ビットによりメーカーコードを検出しセットする（ステップＳ４４）。そしてＮＳＦに対する応答信号であるＮＳＳを検出したら（ステップＳ４５）、検出したメーカーコードを基に、そのメーカーにより定められている非標準手順交信（独自交信）プロトコルシーケンスをプロトコルシーケンステーブル格納部１７から抽出する（ステップＳ４６）。メーカーにより定められている非標準手順交信プロトコルシーケンスを抽出した後、交信プロトコルの測定データにＤＣＳがないときは、抽出した非標準手順交信プロトコルシーケンスと交信プロトコルの測定データとを各項目毎に逐次比較する（ステップＳ４８，Ｓ５２）。この比較の結果、交信プロトコルの測定データがそのメーカーにより定められている非標準手順交信プロトコルシーケンスと異なる場合には、異なる部分にエラ−メッセ−ジを発生して表示部３に表示する（ステップＳ５３，Ｓ５４）。また比較した結果、交信プロトコルの測定データがそのメーカーにより定められている非標準手順交信プロトコルシーケンスと同一の場合には正常のメッセ−ジを発生し表示部３に表示する（ステップＳ５３，Ｓ５５）。
【００３０】
また、モニタ用演算処理部１４はＲＡＭ１３に格納した交信プロトコルの測定データからＮＳＳを検出してメーカーにより定められている非標準手順交信プロトコルシーケンスを抽出した後（ステップＳ４５，Ｓ４６）、交信プロトコルの測定データからＮＳＳの次ぎにＤＣＳを検出したら（ステップＳ４８）、セットしたメーカーコードをリセットしてＩＴＵ−Ｔ勧告Ｔ．３０により定められているプロトコルシーケンスを制御部１のプロトコルシーケンステーブル格納部１７から抽出する（ステップＳ４９，Ｓ５０，Ｓ５１）。この抽出したＩＴＵ−Ｔ勧告Ｔ．３０により定められているプロトコルシーケンスと交信プロトコルの測定データとを各項目毎に逐次比較し、交信プロトコルの測定データがＩＴＵ−Ｔ勧告Ｔ．３０により定められているプロトコルシーケンスと異なる場合にはエラ−メッセ−ジを発生して表示部３に表示する（ステップＳ５２，Ｓ５３，Ｓ５４）。また、比較した結果、交信プロトコルの測定データがＩＴＵ−Ｔ勧告Ｔ．３０により定められているプロトコルシーケンスと同一の場合には正常のメッセ−ジを発生し表示部３に表示する（ステップＳ５２，Ｓ５３，Ｓ５５）。
【００３１】
交信プロトコルの測定データからＮＳＦを検出せずＤＩＳを検出し（ステップＳ４３，Ｓ４７）、引き続いてＤＣＳを検出した場合（ステップＳ４８）、あるいは交信プロトコルの測定データからＮＳＦを検出してＮＳＳを検出せずにＤＣＳを検出した場合（ステップＳ４３〜Ｓ４５，Ｓ４８）、上記と同様に交信プロトコルの測定データとＩＴＵ−Ｔ勧告Ｔ．３０により定められているプロトコルシーケンスを比較し、測定した交信プロトコルデータの適否を判定する（ステップＳ４９〜Ｓ５５）。
【００３２】
このように測定した交信プロトコルデータの適否を自動的に判定して、プロトコルシーケンスにしたがって異常の有無を表示するから、交信プロトコルの適否を簡単に、かつ正確に確認することができる。
【００３３】
次ぎに上記のように測定した交信プロトコルデータの適否を判定した結果、交信不具合の状況を再現して確認したり、交信不具合の理由を確認してその対策を行うために、交信を行っていたファクシミリ装置６と同等の交信プログラムデータを実行する場合のシミュレーション処理の動作を図５のフローチャートを参照して説明する。
【００３４】
シミュレーション処理に入ると（ステップＳ６１）、制御部１のＣＰＵ１１はデータ蓄積メモリ２に格納してある交信プロトコルの測定データを抽出しＲＡＭ１３に格納する（ステップＳ６２）。シミュレーション用演算処理部１５はＲＡＭ１３に格納された交信プロトコルの測定データからＮＳＦを確認すると（ステップＳ６３）、ＮＳＦのファクシミリ情報フィールド（ＦＩＦ）の１７〜２８ビットによりメーカーコードを検出しＲＡＭ１３にセットする（ステップＳ６４）。そしてＮＳＦに対する応答信号であるＮＳＳを検出したら（ステップＳ６５）、検出したメーカーコードに基づき、そのメーカーにより定められている非標準手順交信（独自交信）プロトコルシーケンスをプロトコルシーケンステーブル格納部１７から抽出する（ステップＳ６６）。メーカーにより定められている非標準手順交信プロトコルシーケンスを抽出した後、交信プロトコルの測定データにＤＣＳがないときは、交信プロトコルの測定データ中のデジタルハンドシェーキングコマンドを抽出したメーカーにより定められている非標準手順交信プロトコルシーケンスに基づきシ−ケンシャルに送信側コマンドと受信側コマンドに分離する（ステップＳ６８，Ｓ７２）。この分離したデジタルハンドシェーキングコマンドの機能情報により機能情報テーブル格納部１６から、シミュレータ用通信制御部５のモデム５２をコントロールして高速データを送信又は受信するためのモデムコントロール情報を抽出してシミュレーションデータとしてモデムコントロールテーブル格納部１８にセットする（ステップＳ７３）。交信プロトコルの測定データの全てのデジタルハンドシェーキングコマンドの分離とモデムコントロール情報の抽出が終了した後、シミュレーション用演算処理部１５はシミュレーションデータのセ−ブが指定されているときは、モデムコントロールテーブル格納部１８にセットされたシミュレーションデータをデータ蓄積メモリ２に記録するとともに、そのデータをシミュレータ用通信制御部５に転送する（ステップＳ７４，Ｓ７５）。シミュレータ用通信制御部５は送られたシミュレーションを実行する送出側（送信側又は受信側）のシーケンスに基づき回線を締結してシミュレーションを実行する（ステップＳ７６，Ｓ７７）。そして実行されたシミュレーションの結果はモニタ用通信制御部４で測定され、モニタ用演算処理部１４で交信プロトコルの適否が判定されて表示部３にシーケンスにしたがって表示される。
【００３５】
また、シミュレーション用演算処理部１５はＲＡＭ１３に格納した交信プロトコルの測定データからＮＳＳを検出してメーカーにより定められている非標準手順交信プロトコルシーケンスを抽出した後（ステップＳ６５，Ｓ６６）、ＤＣＳを検出したら（ステップＳ６８）、セットアップデータをリセットしてＩＴＵ−Ｔ勧告Ｔ．３０により定められているプロトコルシーケンスをプロトコルシーケンステーブル格納部１７から抽出する（ステップＳ６９，Ｓ７０，Ｓ７１）。次ぎに、交信プロトコルの測定データのデジタルハンドシェーキングコマンドを抽出したＩＴＵ−Ｔ勧告Ｔ．３０により定められているプロトコルシーケンスに基づきシ−ケンシャルに送信側コマンドと受信側コマンドに分離する（ステップＳ７２）。この分離したデジタルハンドシェーキングコマンドの機能情報により機能情報テーブル格納部１６から、シミュレータ用通信制御部５のモデム５２をコントロールして高速データを送信又は受信するためのモデムコントロール情報を抽出してシミュレーションデータとしてモデムコントロールテーブル格納部１８にセットする（ステップＳ７３）。交信プロトコルの測定データの全てのデジタルハンドシェーキングコマンドの分離とモデムコントロール情報の抽出が終了した後、上記と同様にシミュレーション用演算処理部１５はモデムコントロールテーブル格納部１８にセットされたシミュレーションデータをデータ蓄積メモリ２に記録するとともにシミュレータ用通信制御部５に転送してシミュレーションを実行する（ステップＳ７４〜Ｓ７７）。また、交信プロトコルの測定データからＮＳＦを検出せずＤＩＳを検出し（ステップＳ６３，Ｓ６７）、引き続いてＤＣＳを検出した場合（ステップＳ６８）、あるいは交信プロトコルの測定データからＮＳＦを検出してＮＳＳを検出せずにＤＣＳを検出した場合（ステップＳ６３〜Ｓ６５，Ｓ６８）、上記と同様にＩＴＵ−Ｔ勧告Ｔ．３０により定められているプロトコルシーケンスに基づきシミュレーションデータを抽出して、シミュレーションを実行する（ステップＳ６９〜Ｓ７７）。
【００３６】
このように測定した交信プログラムデータにより各ファクシミリ装置と同等の交信プロトコルを実行するから、交信不具合の状況を再現して確認することができ、交信不具合の理由を明確にしてその対策を確実に行うことができる。
【００３７】
上記シミュレーション処理は測定した交信プロトコルデータの適否を判定した結果、その判定結果を直ちに再現して確認する場合について説明したが、複数のファクシミリ装置の交信プロトコルを測定して、その適否を判定した後に、シミュレーション処理したシミュレーションデータをフロッピディスク等のデータ蓄積メモリ２に格納しておき、複数の交信プロトコルデータを一括して連続的に再現し、各ファクシミリ装置と同等の交信プログラムデータを実行して、交信不具合の理由を確認してその対策を行うようにすることもできる。この場合の動作を図６のフローチャートを参照して説明する。
【００３８】
シミュレーションの連続実行処理が指示されると（ステップＳ８１）、制御部１のＣＰＵ１１はシミュレーションデータが記録されているデータ蓄積メモリ２から１交信分のシミュレーションデータを抽出しＲＡＭ１３に格納する（ステップＳ８２）。ＣＰＵ１１は１交信分のシミュレーションデータがＲＡＭ１３に格納されると、そのシミュレーションデータをシミュレータ用通信制御部５に転送する。シミュレータ用通信制御部５は送られた交信用シミュレーションデータに基づき回線を締結してシミュレーションを実行する（ステップＳ８３、Ｓ８４）。この実行されたシミュレーションの結果はモニタ用通信制御部４で測定され、モニタ用演算処理部１４で交信プロトコルの適否が判定される。この測定結果は実行された交信用シミュレーションデータのデータ名称と同じ名称を付けて交信プロトコルの判定結果とともにデータ蓄積メモリ２に記録される（ステップＳ８５）。１交信分のシミュレーションが実行され、その測定結果がデータ蓄積メモリ２に記録されると（ステップＳ８６）、ＣＰＵ１１はシミュレーションデータが記録されているデータ蓄積メモリ２から次ぎの交信分のシミュレーションデータを抽出しＲＡＭ１３に格納し（ステップＳ８７）、抽出した交信用シミュレーションデータの基づき上記と同様にシミュレーションを実行する（ステップＳ８８，Ｓ８３〜Ｓ８６）。この処理をデータ蓄積メモリ２に記録された全ての交信用シミュレーションデータに付いて自動的に繰返し、全ての交信用シミュレーションデータによるシミュレーション結果をデータ蓄積メモリ２に記録したら処理を終了する（ステップＳ８８）。
【００３９】
このようにデータ蓄積メモリ２に記録した交信用シミュレーションデータの全てについて自動的にシミュレーションを実行し、その結果をデータ蓄積メモリ２に記録するから、人手を要せずに交信試験を行うことができ、通常の交信に支障がない深夜等に交信試験を行うことができる。また、データ蓄積メモリ２に記録された交信用シミュレーションデータとシミュレーションの実行結果を迅速に確認することができるから、解析作業に要する時間を大幅に短縮できるとともに交信不具合の原因を正確に確認することができ、その対策を迅速に行うことができる。
【００４０】
なお、上記実施例はＩＴＵ−Ｔ勧告Ｔ．３０に準拠しているファクシミリ装置の交信プロトコルを測定して適否を判定し、交信不具合の理由を明確にするとともにその対策を行うための再現処理について説明したが、ＦＴＺ１８ＴＲ５３規格に準拠しているファクシミリ装置の交信プロトコルの適否の判定や再現も同様にして行うことができる。
【００４１】
【発明の効果】
この発明は以上説明したように、ＩＴＵ−Ｔ勧告Ｔ．３０やＦＴＺ１８ＴＲ５３規格に準拠して各ファクシミリ装置のメーカーが独自で行なっている交信プロトコルを測定し、測定した交信プロトコルデータとあらかじめ記憶した規格値とを比較し、測定した交信プロトコルの適否を各項目毎に解析して、解析結果を表示するようにしたから、交信プロトコルの適否を簡単かつ正確に確認することができ、交信プロトコルの解析を専門的な知識のない人でも短時間で精度良く行うことができる。したがって解析者ごとの解析精度のばらつきや解析もれが生じることを防止することができ、安定した解析を行うことができる。
【００４２】
また、各ファクシミリ装置のメーカーが独自で行なっている交信プロトコルを検出するときに、デジタルハンドシェーキングコマンドＮＳＳの機能情報が不明な場合、あるいはデジタルハンドシェーキングコマンドＮＳＳの機能情報に設定されているメーカーコードが不明な場合又は存在しない場合には、あらかじめモデムコントロールテーブル格納部に設定されたコントロール情報によりモニタ用通信制御部のモデムを切り換えて交信プロトコルを検出するから、交信プロトコルデータの画情報を確実に測定することができる。
【００４３】
また、測定した交信プロトコルデータを交信用シミュレーションデータに変換し、測定した交信プロトコルを実行することにより、交信不具合の要因を正確に再現させることができ、交信不具合の要因に対する対策を確実に行うことができるとともに、対策した結果も容易に確認することができる。
【図面の簡単な説明】
【図１】この発明の実施例の構成を示すブロック図である。
【図２】上記実施例の交信プロトコル測定処理を示すフローチャートである。
【図３】上記実施例の画情報の原稿サイズ演算処理を示すフローチャートである。
【図４】上記実施例の交信プロトコルの自動判定処理を示すフローチャートである。
【図５】上記実施例のシミュレーション処理を示すフローチャートである。
【図６】上記実施例のシミュレーション連続実行処理を示すフローチャートである。
【符号の説明】
１      制御部
２      データ蓄積メモリ
３      表示部
４      モニタ用通信制御部（モニタ用ＣＣＵ）
５      シュミレータ用通信制御部（シュミレータ用ＣＣＵ）
６      ファクシミリ装置
１１    ＣＰＵ
１３    ＲＡＭ
１４    モニタ用演算処理部
１５    シュミレーション用演算処理部
１６    機能情報テーブル格納部
１７    プロトコルシーケンステーブル格納部
１８    モデムコントロールテーブル格納部
１９    原稿サイズ演算処理部
２０    モデムコントロール部
【図１】
0003943150.tif 000002
【図２】
0003943150.tif 000003
【図３】
0003943150.tif 000004
【図４】
0003943150.tif 000005
【図５】
0003943150.tif 000006
【図６】
0003943150.tif 000007